(57)【特許請求の範囲】
【請求項１】
帯状体が巻回されて構成される巻芯を差し込んで回転駆動される軸部と、
前記軸部の外周に設けられて当該軸部に差し込まれた前記巻芯の内壁と接触するとともに、前記軸部に前記巻芯を着脱する方向に回転するローラと、
前記軸部の外周方向へ突出した突出部を有し、当該突出部が前記延在方向に沿って配置され、前記ローラを前記軸部の外周方向へ付勢する板バネと、を備え、
前記ローラは、前記軸部の延在方向に沿って複数配列され、
複数の前記ローラは、前記突出部に設けられて前記軸部の外周面に接しないこと、
を特徴とする巻芯保持構造。
【請求項２】
帯状体が巻回されて構成される巻芯を差し込んで回転駆動される軸部と、
前記軸部の外周に設けられて当該軸部に差し込まれた前記巻芯の内壁と接触するとともに、前記軸部に前記巻芯を着脱する方向に回転するローラと、
前記軸部の外周方向へ突出した突出部を有し、当該突出部が前記延在方向に沿って配置され、前記ローラを前記軸部の外周方向へ付勢する板バネと、
回転駆動された前記巻芯から引き出された前記帯状体により印字を行う印字機構と、を備え、
前記ローラは、前記軸部の延在方向に沿って複数配列され、
複数の前記ローラは、前記突出部に設けられて前記軸部の外周面に接しないこと、
を特徴とするプリンタ。
【発明の詳細な説明】
【技術分野】
【０００１】
本発明の実施形態は、巻芯保持構造及びプリンタに関する。
【背景技術】
【０００２】
従来、プリンタなどにおいては、インクリボン等の帯状体が巻き取られるロール状の巻芯を、回転駆動される巻取軸に保持する巻芯保持構造が知られている。
【発明の概要】
【発明が解決しようとする課題】
【０００３】
このプリンタでは、巻取軸を回転させて巻芯に帯状体を巻き取る際には巻芯が空転しないように保持するとともに、巻芯が巻取軸に容易に着脱可能であることが望まれている。
【課題を解決するための手段】
【０００４】
上述した課題を解決するために、実施形態の巻芯保持構造は、帯状体が巻回されて構成される巻芯を差し込んで回転駆動される軸部と、前記軸部の外周に設けられて当該軸部に差し込まれた前記巻芯の内壁と接触するとともに、前記軸部に前記巻芯を着脱する方向に回転するローラと、前記軸部の外周方向へ突出した突出部を有し、当該突出部が前記延在方向に沿って配置され、前記ローラを前記軸部の外周方向へ付勢する板バネと、を備え、前記ローラは、前記軸部の延在方向に沿って複数配列され、複数の前記ローラは、前記突出部に設けられて前記軸部の外周面に接しないことを特徴とする。
【０００５】
また、実施形態のプリンタは、帯状体が巻回されて構成される巻芯を差し込んで回転駆動される軸部と、前記軸部の外周に設けられて当該軸部に差し込まれた前記巻芯の内壁と接触するとともに、前記軸部に前記巻芯を着脱する方向に回転するローラと、前記軸部の外周方向へ突出した突出部を有し、当該突出部が前記延在方向に沿って配置され、前記ローラを前記軸部の外周方向へ付勢する板バネと、回転駆動された前記巻芯から引き出された前記帯状体により印字を行う印字機構と、を備え、前記ローラは、前記軸部の延在方向に沿って複数配列され、複数の前記ローラは、前記突出部に設けられて前記軸部の外周面に接しないことを特徴とする。
【図面の簡単な説明】
【０００６】
【図１】図１は、実施形態にかかるプリンタの外観を概略的に示す斜視図である。
【図２】図２は、実施形態にかかるプリンタの内部構成の一例を示す斜視図である。
【図３】図３は、実施形態にかかるプリンタの内部構成の一例を示す側面図である。
【図４】図４は、供給軸、巻取軸を例示する斜視図である。
【図５】図５は、供給軸、巻取軸を例示する側面図である。
【図６】図６は、図４のＸ−Ｘ線に沿う断面図である。
【図７】図７は、供給軸、巻取軸にリボンロールを差し込む様子を示す概略図である。
【図８】図８は、供給軸、巻取軸にリボンロールを差し込む様子を示す概略図である。
【発明を実施するための形態】
【０００７】
以下に添付図面を参照して、実施形態にかかる巻芯保持構造及びプリンタの詳細を説明する。以下では、巻芯保持構造により保持される巻芯に巻き回されたインクリボンにより用紙へ印字を行うサーマルプリンタへの適用例を説明する。
【０００８】
図１は、実施形態にかかるプリンタ１の外観を示す斜視図である。図１に示すように、プリンタ１のハウジング２０の前面には、印字された後の用紙が排出される排出口３０が形成されている。ハウジング２０の左側には、各種操作キー４０やＬＣＤ（Liquid Crystal Display）等の表示部５０などを前面に備える制御ボックス６０が設けられている。この制御ボックス６０の内部には、プリンタ１が備える各部を駆動制御する制御部（図示しない）が設けられている。カバー７０は、ハウジング２０の上面の制御ボックス６０側に設けられたヒンジ８０を中心として上方向へ回動自在に設けられている。カバー７０を上方向へ回動させることで、ユーザはハウジング２０内の内部構成へのアクセスが可能となる。
【０００９】
図２は、実施形態にかかるプリンタ１の内部構成の一例を示す斜視図である。より具体的には、カバー７０が空けられ、印字にかかる用紙ロール１１（図３参照）やリボンロール１３を取り付ける前のプリンタ１の内部構成を示す斜視図である。図３は、実施形態にかかるプリンタ１の内部構成の一例を示す側面図である。より具体的には、用紙ロール１１及びリボンロール１３を取り付けて印字を行う際の内部構成を示す側面図である。
【００１０】
図２、３に示すように、プリンタ１の本体部１ａは、底壁１ｃやカバー７０を含む筐体１ｂと、筐体１ｂ内で底壁１ｃと垂直な縦壁１ｄとを有している。縦壁１ｄには、用紙ロール保持軸３、搬送ローラ４、プラテンローラ５、供給軸７、巻取軸８、印字ブロック９、ピンチローラブロック１０等が、縦壁１ｄと略垂直な姿勢で取り付けられている。縦壁１ｄの背面側にある制御ボックス６０には、上述した制御部や、供給軸７、巻取軸８等を駆動するモータ（図示しない）等が収容されている。
【００１１】
用紙ロール保持軸３は、帯状用紙２が巻回されて構成された用紙ロール１１を図３の紙面に垂直な軸回りに回動可能に保持する。ここでは、用紙ロール保持軸３を縦壁１ｄに回転可能に保持する構成であっても、用紙ロール保持軸３を縦壁１ｄに固定して帯状用紙２の用紙ロール１１を用紙ロール保持軸３の回りに回転可能に保持する構成であってもよい。本実施形態では、用紙ロール保持軸３や用紙ロール１１は、モータ等によっては駆動されず、搬送方向ＴＤの下流側（図３の左方向）に配置した搬送ローラ４やプラテンローラ５等の回転によって、帯状用紙２の用紙ロール１１が回動（従動）することにより用紙ロール１１から帯状用紙２が引き出される。
【００１２】
搬送ローラ４、プラテンローラ５、供給軸７、巻取軸８は、モータ（図示せず）等によって回転駆動される。搬送ローラ４は、印字部１２やプラテンローラ５の上流側に配置されている。また、ピンチローラブロック１０は、搬送ローラ４と平行な姿勢でその搬送ローラ４の情報に隣接して配置されるピンチローラ（図示せず）を有している。ピンチローラは、適宜な押圧力で搬送ローラ４に向けて付勢されている。搬送ローラ４とピンチローラとで帯状用紙２が挟持され、搬送ローラ４の回転によって帯状用紙２が搬送される。本実施形態では、これら搬送ローラ４、プラテンローラ５、モータ（図示せず）、モータコントローラ（図示せず）、ピンチローラブロック等が搬送機構を構成している。
【００１３】
供給軸７、巻取軸８は、リボンロール１３を差し込んで回転駆動される軸部である（詳細は後述する）。リボンロール１３は、略円筒形状の巻芯１３１にインクリボン６等の帯状体が巻き回されて構成される。なお、巻芯１３１は、本実施形態において断面が略円形な略円筒形状としているが、巻芯１３１の断面は正八角形等の形状であってもよい。
【００１４】
供給軸７には、インクリボン６が予め巻芯１３１に巻き回されたリボンロール１３が差し込まれてセットされる。また、巻取軸８には、供給軸７にセットされたリボンロール１３側から引き出されたインクリボン６を巻き取る巻芯１３１が差し込まれてセットされる。インクリボン６は、モータ等によって駆動される巻取軸８の回転によって、供給軸７にセットされたリボンロール１３側より引き出され、巻取軸８側にセットされた巻芯１３１に巻き取られる。
【００１５】
供給軸７側から引き出されて巻取軸８側で巻き取られる間、インクリボン６は、帯状用紙２とともに印字ブロック９に含まれるサーマルヘッド９ａとプラテンローラ５との間に挟持される。サーマルヘッド９ａとプラテンローラ５との間にインクリボン６を挟持している際に、サーマルヘッド９ａを加熱することで、インクリボン６のインクが溶融あるいは昇華される。インクリボン６のインクが溶融あるいは昇華されることで、帯状用紙２の内表面２ａに所定のパターン（文字、数字、バーコード、図形等）が転写され、印字が行われる。すなわち、本実施形態では、サーマルヘッド９ａとプラテンローラ５とによって、回転駆動された巻芯１３１から引き出されたインクリボン６により印字を行う印字機構としての印字部１２が構成されている。
【００１６】
ここで、供給軸７、巻取軸８の詳細について説明する。図４は、供給軸７、巻取軸８を例示する斜視図である。図５は、供給軸７、巻取軸８を例示する側面図である。図６は、図４のＸ−Ｘ線に沿う断面図である。図７、８は、供給軸７、巻取軸８にリボンロール１３を差し込む様子を示す概略図である。
【００１７】
図４、５、６に示すように、巻芯１３１を差し込んで回転駆動される供給軸７、巻取軸８には、軸中心から外周へ向かう外周方向へ付勢する弾性部材としての板バネ１０１が外周壁１００上に設けられている。板バネ１０１には、供給軸７、巻取軸８に差し込まれた巻芯１３１の内壁と接触するとともに、供給軸７、巻取軸８に巻芯１３１を着脱する方向に回転する複数のローラ１０２が設けられている。すなわち、供給軸７、巻取軸８は、差し込まれた巻芯１３１の内壁と接触するローラ１０２と、そのローラ１０２を外周方向へ付勢する板バネ１０１とによる巻芯保持構造を有している。
【００１８】
具体的には、板バネ１０１は、外周壁１００において供給軸７、巻取軸８が延在する方向である幅方向ＷＤに沿って設けられ、両端が留具１０３で外周壁１００に固定されている。板バネ１０１には、屈曲して外周方向に突出した突出部１１０が所定の長さに亘って設けられている。
【００１９】
突出部１１０には、略垂直に折れ曲がった一対の折り曲げ部１１１（図４、５における手前側と奥側、図６の左右）が、幅方向ＷＤにおいて所定の間隔で設けられている。一対の折り曲げ部１１１には、留具１１２によりローラ１０２が、外周壁１００の表面（外周面）に接することなく、幅方向ＷＤに回転可能に取り付けられる。すなわち、複数のローラ１０２が、供給軸７、巻取軸８が延在する方向である幅方向ＷＤに沿って複数配列されている。
【００２０】
ローラ１０２は、突出部１１０において折り曲げ部１１１の位置に対応して設けられた穴部１１３より、外周方向における一部が突出部１１０より突出している。これにより、ローラ１０２は、供給軸７、巻取軸８に巻芯１３１を着脱する際に、突出部１１０より突出した部分が巻芯１３１の内壁と接触して回転（従動）する。なお、外周壁１００に対する突出部１１０の高さは、巻芯１３１が差し込まれた際にローラ１０２が外周壁１００の表面に接しない程度に設計されているものとする。
【００２１】
したがって、図７、８に示すように、リボンロール１３の巻芯１３１は、供給軸７、巻取軸８に差し込む際に接触するローラ１０２の回転によって摩擦力が軽減されることから、容易に取り付けることができる。また、複数のローラ１０２が幅方向ＷＤに沿って複数配列されていることから、リボンロール１３が幅Ｌ１の場合（図７参照）や、幅Ｌ２の場合（図８参照）など、リボンロール１３の幅が異なる場合であっても、いずれかのローラ１０２が接触して摩擦力を軽減することができる。
【００２２】
供給軸７、巻取軸８に差し込まれた巻芯１３１は、板バネ１０１の付勢力によって外周方向へ押し出されるローラ１０２によって支持される。図６に示すように、ローラ１０２は、幅方向ＷＤに沿って差し込まれる巻芯１３１に伴って回転するが、供給軸７、巻取軸８の回転方向（時計回り方向ＣＷ又は反時計回り方向ＣＣＷ）には回転しない。したがって、供給軸７、巻取軸８を回転させて巻芯１３１にインクリボン６を巻き取る際には、巻芯１３１が空転することがない。なお、巻芯１３１の滑りによる空転を防止するため、ローラ１０２にはゴム等の摩擦係数が大きな部材を用いることが好ましい。
【００２３】
なお、本実施形態では、一つの板バネ１０１を外周壁１００上に設ける構成を例示したが、複数の板バネ１０１を外周壁１００上に設けてもよい。例えば、図６に例示した板バネ１０１とは軸中心を挟んで反対側において、上述したローラ１０２を備える板バネ１０１を設けてもよい。
【００２４】
また、本実施形態では、供給軸７、巻取軸８の両方が上述した巻芯保持構造を有する構成を例示した。しかしながら、インクリボン６を供給軸７側から引き出す方向にのみ回転駆動させる場合には、巻取軸８側のみが巻芯保持構造を有する構成であってもよい。
【００２５】
また、本実施形態では、インクリボン６が巻回されたリボンロール１３を保持する供給軸７、巻取軸８が巻芯保持構造を有する構成を例示した。しかしながら、帯状体である帯状用紙２が巻回されて構成される用紙ロール１１を差し込んで保持する用紙ロール保持軸３が巻芯保持構造を有する構成であってもよい。例えば、引き出された帯状用紙２を再び用紙ロール１１へ巻き回す等の回転駆動をモータ等により用紙ロール保持軸３が行う構成では、用紙ロール保持軸３は上述した巻芯保持構造を有してもよい。
【符号の説明】
【００２６】
１…プリンタ、１ａ…本体部、１ｂ…筐体、１ｄ…縦壁、１ｃ…底壁、２…帯状用紙、２ａ…内表面、３…用紙ロール保持軸、４…搬送ローラ、５…プラテンローラ、６…インクリボン、７…供給軸、８…巻取軸、９…印字ブロック、９ａ…サーマルヘッド、１０…ピンチローラブロック、１１…用紙ロール、１２…印字部、１３…リボンロール、１００…外周壁、１０１…板バネ、１０２…ローラ、１０３…留具、１１０…突出部、１１１…折り曲げ部、１１２…留具、１１３…穴部、１３１…巻芯、Ｌ１、Ｌ２…幅、ＷＤ…幅方向、ＴＤ…搬送方向、ＣＷ…時計回り方向、ＣＣＷ…反時計回り方向
【先行技術文献】
【特許文献】
【００２７】
【特許文献１】特開平９−３１５６９１公報
【図１】
0005275378.tif 000002
【図２】
0005275378.tif 000003
【図３】
0005275378.tif 000004
【図４】
0005275378.tif 000005
【図５】
0005275378.tif 000006
【図６】
0005275378.tif 000007
【図７】
0005275378.tif 000008
【図８】
0005275378.tif 000009